(57)【要約】【課題】断熱箱体の外部から開口部を通じて庫内へ侵入する熱を抑制する冷蔵庫を提供すること。【解決手段】開口部を有し、外箱と内箱との２重構造を有する断熱箱体と、上記断熱箱体と組み合う扉部と、上記断熱箱体と上記扉部との間に位置するガスケットと、を含み、上記外箱と上記内箱との係合部は、上記ガスケットが上記断熱箱体に固定される位置より外側である冷蔵庫を用いる。また、上記ガスケットと上記断熱箱体とは、上記断熱箱体に固定された磁性体とガスケットに配置されたマグネットとにより接続されている上記冷蔵庫を用いる。【選択図】図１
2018044756.tif 000002
【特許請求の範囲】
【請求項１】
開口部を有し、外箱と内箱との２重構造を有する断熱箱体と、
前記断熱箱体と組み合う扉部と、
前記断熱箱体と前記扉部との間に位置するガスケットと、を含み、
前記外箱と前記内箱との内箱外箱接合領域は、前記扉部と前記断熱箱体とが接合される扉断熱箱接合領域より前記断熱箱体の外側である冷蔵庫。
【請求項２】
前記外箱の前記内箱外箱接合領域は、前記外箱の端部が内部へ折り曲げられた部分である請求項１記載の冷蔵庫。
【請求項３】
前記内箱の前記内箱外箱接合領域は、前記内箱の端部が、内側へ折り曲げられた部分である請求項１または２記載の冷蔵庫。
【請求項４】
前記扉断熱箱接合領域は、前記ガスケットが前記断熱箱体に固定される領域である請求項１〜３のいずれか１項に記載の冷蔵庫。
【請求項５】
前記内箱外箱接合領域の中心は、前記扉断熱箱接合領域の中心より前記断熱箱体の外側である請求項１〜４のいずれか１項に記載の冷蔵庫。
【請求項６】
前記内箱外箱接合領域と前記扉断熱箱接合領域とは重なっていない請求項１〜５のいずれか１項に記載の冷蔵庫。
【請求項７】
前記扉断熱箱接合領域は、前記断熱箱体に固定された磁性体とガスケットに配置されたマグネットとにより接続されている領域である請求項１から６のいずれか１項に記載の冷蔵庫。
【請求項８】
前記外箱は金属板、前記内箱は樹脂材料である請求項１から７のいずれか１項に記載の冷蔵庫。
【請求項９】
前記前記内箱外箱接合領域は、前記外箱の穴部と前記内箱の突起部とが係合する部分、または、前記外箱の突起部と前記内箱の穴部とが係合する部分である請求項１から８のいずれか１項に記載の冷蔵庫。
【請求項１０】
前記前記内箱外箱接合領域は、磁性体を介して係合する請求項１から９のいずれか１項に記載の冷蔵庫。
【請求項１１】
前記前記内箱外箱接合領域は、接着剤で覆われている請求項１から１０のいずれか１項に記載の冷蔵庫。
【発明の詳細な説明】
【技術分野】
【０００１】
本発明は冷蔵庫の断熱箱体の構造に関するものである。
【背景技術】
【０００２】
従来の冷蔵庫は、断熱箱体と扉部により構成され、断熱箱体の前面開口部は、鉄板などの金属製の外箱と樹脂性の内箱が係合され、外箱と内箱の間に発泡断熱材が充填された構造である。
【０００３】
図８は、特許文献１に記載された従来の冷蔵庫の正面図であり、図９は、特許文献１に記載された従来の冷蔵庫の扉と本体との接合部分の拡大断面図である。
【０００４】
図８に示すように、冷蔵庫１は、断熱箱体１０と、その前面開口部に回転式の冷蔵室の扉部２０、引き出し式の冷凍室扉部５２ａ、５２ｂ、５２ｃ、同じく引き出し式の野菜室扉部５５が設けてある。これら扉部の構造は、寸法を除いて基本構造は同じである。扉部２０と本体との接合部分を、図９を用いて説明する。
【０００５】
断熱箱体１０は、鉄板などの金属製の外箱１１とＡＢＳなどの樹脂製の内箱１２の間に断熱材９を発泡充填したものである。
【０００６】
扉部２０には、マグネットガスケット９０と当接するための折曲部３１と、第２フランジと呼ばれる、内箱１２を係合するための折曲部３２が設けられている。
【０００７】
扉部２０は、扉部外板２１と、ＡＢＳ樹脂やＰＳ樹脂で成形された扉部内板２２の間に断熱材９を発泡充填したもので、扉部内板２２にはマグネットガスケット９０が嵌め込まれている。
【０００８】
マグネットガスケット９０は、磁石室９３と袋部９４により構成されており、磁石室９３にはマグネット９２が埋め込まれている。
【０００９】
マグネットガスケット９０のマグネット９２は、冷蔵室の扉部２０が閉じられるときに、前記断熱箱体１０の外箱前部の折曲部３１に吸着することによって、断熱箱体１０と共に密閉構造を形成し冷蔵庫の外からの熱の侵入（冷気の漏れ）を防ぐ。
【００１０】
また、図１０は、特許文献２に記載された従来の開口部を用いた冷蔵庫の開口部近傍の拡大断面図である。
【００１１】
断熱箱体１０は、鉄板などの金属製の外箱４１とＡＢＳなどの樹脂製の内箱４２の間に断熱材９を発泡充填したもので、前記前面開口部の外箱前部には、折曲構造がなく、外箱４１と内箱４２は、外箱平坦部４１ａと内箱平坦部４２ａにて固着部材１０５により接着されている。
【００１２】
扉部２０の構成については、特許文献１のものと相違なく、マグネットガスケット９０のマグネット（図示せず）は、冷蔵室の扉部２０が閉じられるときに、前記断熱箱体１０の外箱平坦部４１ａに吸着することによって、断熱箱体１０と共に密閉構造を形成し冷蔵庫の外からの熱の侵入（冷気の漏れ）を防ぐ。
【先行技術文献】
【特許文献】
【００１３】
【特許文献１】特開２０１１−２３７１１６号公報
【特許文献２】特開２０１３−１８５７１３号公報
【発明の概要】
【発明が解決しようとする課題】
【００１４】
しかしながら、特許文献１（図８、図９）に記載の従来の開口部では、熱の侵入を防ぎきれていない。金属製の外箱１１はマグネットガスケット９０との吸着部、すなわち第１フランジ部（折曲部３１）が、温度帯の低い庫内に露出しており、図９におけるＡの経路で、庫外の熱が庫内に侵入する。また、同じく金属製の第２フランジ部（折曲部３２）は、温度帯の低い庫内に接近した構造であり、断熱材９、内箱１２を介して図９におけるＢの経路で、庫外の熱が庫内に侵入する。
【００１５】
また、特許文献２（図１０）に記載の従来の開口部では、特許文献１のようにフランジ部が無いため、折曲部からの熱の侵入はない。しかしながら、金属製の外箱１１はマグネットガスケット３０との吸着部、すなわち外箱平坦部４１ａで、温度帯の低い庫内に露出しており、特許文献１の場合と同様に、図１０におけるＡの経路で、庫外の熱が庫内に侵入する。（特許文献１の場合も特許文献２の場合も、マグネットガスケット９０のマグネット９２の吸着部で、熱伝導性の高い外箱１１の金属が庫内に露出する。）
本発明は、前記従来の課題を解決するもので、開口部からの熱侵入量を低減し、冷蔵庫の断熱性能を向上できる断熱箱体を提供することを目的とする。
【課題を解決するための手段】
【００１６】
上記目的を達成するため、開口部を有し、外箱と内箱との２重構造を有する断熱箱体と、上記断熱箱体と組み合う扉部と、上記断熱箱体と上記扉部との間に位置するガスケットと、を含み、上記外箱と上記内箱との係合部は、上記ガスケットが上記断熱箱体に固定される位置より外側である冷蔵庫を用いる。
【発明の効果】
【００１７】
本発明によれば、断熱箱体開口部の断熱性能を向上させ、断熱箱体において外部からの熱侵入量が多い外箱前部からの熱侵入量を低減し、保温・保冷効果を向上させることができ、断熱性能の高い冷蔵庫にすることができる。
【図面の簡単な説明】
【００１８】
【図１】実施の形態１における断熱箱体の開口部近傍の拡大断面図
【図２】（ａ）実施の形態１における断熱箱体の外箱の構造を示す斜視図、（ｂ）実施の形態１における断熱箱体の内箱の構造を示す斜視図
【図３】（ａ）実施の形態１における内箱と磁性体の組合せを示す斜視図、（ｂ）（ａ）の部分拡大断面図
【図４】（ａ）実施の形態１の断熱箱体の斜視図、（ｂ）実施の形態１における断熱箱体の外箱と内箱の組合せにおいて、長穴部と突起部の係合を示す断面図、（ｃ）実施の形態１における断熱箱体の外箱と内箱の組合せにおいて、穴なし部と突起無し部の係合を示す断面図
【図５】（ａ）実施の形態１の断熱箱体の斜視図、（ｂ）実施の形態１における断熱箱体の外箱と内箱の係合部と仕切板の構造において、長穴部と突起部の係合を示す図、（Ｃ）実施の形態１における断熱箱体の外箱と内箱の係合部と仕切板の構造において、穴なし部と突起無し部の係合を示す図
【図６】実施の形態２における断熱箱体の開口部近傍の拡大断面図
【図７】実施の形態３における断熱箱体の開口部近傍の拡大断面図
【図８】特許文献１における従来の冷蔵庫を示す図
【図９】特許文献１における従来の断熱箱体の開口部近傍の拡大断面図
【図１０】特許文献２における従来の断熱箱体の開口部近傍の拡大断面図
【発明を実施するための形態】
【００１９】
以下、実施の形態について、図面を参照しながら説明する。
【００２０】
（実施の形態１）
図１は冷蔵庫の扉と断熱箱体との接合部近傍の拡大断面図である。扉は断熱箱体の開口部に組み合わされている。
【００２１】
＜冷蔵庫１の構成＞
図１において、冷蔵庫１の断熱箱体１０は、鉄板などの金属製の外箱１０１とＡＢＳなどの樹脂製の内箱１０２の間に断熱材９を発泡充填したものである。外箱１０１は、端部に内箱１０２との接合する内箱外箱接合領域１１１を備える。同様に、内箱１０２は扉断熱箱接合領域１１２を備える。
【００２２】
内箱外箱接合領域１１１は、内箱１０２と外箱１０１とが接合される領域で、この場合、内箱１０２と外箱１０１とが重なった領域である。扉断熱箱接合領域１１２は、扉部２０と断熱箱体１０とが接合される領域で、この場合、磁石室９３と磁性体６０とが重なった領域である。
【００２３】
＜外箱１０１と内箱１０２の構成＞
外箱１０１には、断熱箱体１０の外表側面を、一体に折り曲げ形成された内箱外箱接合領域１１１がある。内箱外箱接合領域１１１は、冷蔵庫１の前面の開口部２の開口面を形成している。
【００２４】
内箱１０２は真空成型で形成され、折り曲げられた扉断熱箱接合領域１１２と更に折り曲げられた内箱外箱接合領域１１１とを有する。
【００２５】
＜内箱１０２の構造＞
内箱１０２の裏面（断熱材９側）には、扉部２０の閉口時にマグネットガスケット９０のマグネット９２が正対する位置に、接着剤や両面テープで形成された接着部材（図示せず）により磁性体６０が設置されている。
【００２６】
＜内箱外箱接合領域１１１と扉断熱箱接合領域１１２の位置と構造＞
図２（ａ）は、実施の形態１における断熱箱体の外箱１０１の構造を示すものである。外箱１０１の内箱外箱接合領域１１１は複数の長穴を有する穴有り部１１１ａと穴無し部１１１ｂが交互に設けられている。
【００２７】
図２（ｂ）は、実施の形態１における断熱箱体の内箱１０２の構造を示すものである。内箱１０２の扉断熱箱接合領域１１２は、穴有り部１１１ａの設置間隔と同じ間隔で複数の突起有り部１１２ａと突起無し部１１２ｂが交互に設けられており、図２（ａ）の穴有り部１１１ａの穴には、突起有り部１１２ａの突起が挿入されていることにより、外箱１０１と内箱１０２が強固に固定される。
【００２８】
なお、上記とは逆に、穴有り部１１１ａと突起有り部１１２ａとは、それぞれ、内箱１０２と外箱１０１とにそれぞれあってもよい。
【００２９】
外箱１０１と内箱１０２とが強固に固定されることにより、開口部２での内箱１０２の波打ちや反りが抑えられる。また、扉部２０のマグネットガスケット９０は、平坦に内箱１０２に当接できる。また、マグネットガスケット９０の浮きによる熱侵入を抑えることができる。
【００３０】
また、図１に示すように、内箱外箱接合領域１１１は、磁性体６０とマグネットガスケット９０のマグネット９２との当接部である扉断熱箱接合領域１１２より庫外側（外気側、開口部２の外側）に設置されている。本構造は、扉断熱箱接合領域１１２に磁性体６０を設置し、磁性体６０に、扉部２０に配置されたマグネットガスケット９０のマグネット９２を吸着させる。マグネット９２と磁性体６０との吸着により断熱箱体と扉部の閉口性を持たせることによって、外箱１０１の金属板が庫内へ露出し、庫外の熱が庫内に侵入することを防ぐことができる（図９、図１０におけるＡの経路による熱の侵入を防ぐことができる）。
【００３１】
以上のように構成される冷蔵庫について、以下、その製造方法と作用について説明する。
【００３２】
＜内箱１０２への磁性体６０の設置＞
まず、図３（ａ）、図３（ｂ）に示すように真空成型で形成した内箱１０２の内側に、磁性体６０を接着剤や両面テープで形成された接着部材（図示せず）にて設置する。
【００３３】
図３（ａ）は、内箱１０２の斜視図であり、図３（ｂ）は、内箱１０２の扉断熱箱接合領域１１２の拡大断面図である。
【００３４】
＜内箱１０２の外箱１０１への組み込み＞
次に図２（ｂ）に示すように、内箱１０２を裏返しする。図２（ａ）に示す外箱１０１の内箱外箱接合領域１１１には、複数の穴有り部１１１ａを有している。複数の穴有り部１１１ａに、穴有り部１１１ａと同じ間隔で配設された複数の突起有り部１１２ａを挿入する。このことにより、内箱１０２を外箱１０１に組み込む。
【００３５】
＜底面板１３、仕切板１４ａ、１４ｂ、１４ｃ、１４ｄの組み込み＞
図４（ａ）は、断熱箱体１０の斜視図である。図４（ｂ）と図４（ｃ）は、内箱１０２と外箱１０１との係合部分の断面図である。
【００３６】
図４（ａ）に示すように、底面板１３を、断熱箱体１０へ組み込む。この時の内箱外箱接合領域１１１の穴有り部１１１ａ（扉断熱箱接合領域１１２の突起有り部１１２ａ）の部分と、穴無し部１１１ｂ（突起無し部１１２ｂ）の部分の構造は、それぞれ図４（ｂ）、図４（ｃ）の通りである。
【００３７】
次に、断熱箱体１０の斜視図である図５（ａ）に示すように、冷蔵庫の温度帯の異なる部屋を仕切る仕切板１４ａ、１４ｂ、１４ｃ、１４ｄを断熱箱体１０へ組込む。
【００３８】
＜発泡の断熱材９の充填と背面板の設置＞
内箱１０２と外箱１０１との係合部分の断面図である図５（ｂ）、図５（ｃ）に示すように、冷蔵庫後部（断熱箱体の開口部２の裏側）から発泡の断熱材９を充填し、断熱箱体１０が完成する。
【００３９】
上記のように構成された断熱箱体１０に扉部２０を組み立てることにより、冷蔵庫１が完成する。
【００４０】
＜実施の形態１の効果＞
図１に示すように、内箱外箱接合領域１１１は、前記磁性体６０とマグネットガスケット９０のマグネット９２との当接部の扉断熱箱接合領域１１２より庫外側（外気側）に設置されている。従来は外箱の金属にマグネットガスケット９０のマグネット９２を吸着させ、断熱箱体と扉部の閉口性を持たせていたものを、扉断熱箱接合領域１１２に磁性体６０を設置し、マグネット９２と磁性体６０との吸着により断熱箱体と扉部の閉口性を持たせている。このことによって、外箱金属が庫内へ露出し、庫外の熱が庫内に侵入することを防ぐことができる（図９、図１０におけるＡの経路による熱の侵入を防ぐことができる）。
【００４１】
なお、内箱外箱接合領域１１１と扉断熱箱接合領域１１２とが重なる場合は、それぞれの中心で判断する。内箱と外箱との接合中心７１が、扉と断熱箱との接合中心７２（マグネットと磁性体との接合中心）より、外側にあることが必要である。
【００４２】
（実施の形態２）
図６は冷蔵庫の断熱箱体１０の開口部２の近傍の拡大断面図である。なお、実施の形態１と同一の構成に関しては同一の符号を付し、詳細な説明は省略する。説明しない事項は実施の形態１と同様である。
【００４３】
実施の形態１と異なる点は、図６に示すように、内箱外箱接合領域１１１は接着剤や樹脂充填材で形成された接着部材１０６により係合部の隙間が埋められているところである。
【００４４】
これにより、開口部２での内箱１０２の波打ちや反りが抑えられるとともに、発泡性の断熱材９を充填後の断熱材９の開口部２への漏れを抑制できる。
【００４５】
（実施の形態３）
図７は冷蔵庫の断熱箱体の開口部２の近傍の拡大断面図である。なお、実施の形態１と同一の構成に関しては同一の符号を付し、詳細な説明は省略する。説明しない事項は、実施の形態１と同様である。
【００４６】
実施の形態３では、内箱外箱接合領域１１１が実施の形態１と異なる。
【００４７】
内箱外箱接合領域１１１の内箱１０２または外箱１０１には、接着剤や両面テープで形成された接着部材（図示せず）にて貼付された磁性体６１が設けられている。
【００４８】
内箱外箱接合領域１１１が磁力により強固に固定されることにより、開口部２での内箱の波打ちや反りが抑えられ、冷蔵室の扉部２０のマグネットガスケット９０と平坦に当接でき、マグネットガスケット９０の浮きによる熱侵入を抑えることができる。
【産業上の利用可能性】
【００４９】
本発明にかかる冷蔵庫は、鉄板などの金属製の外箱と樹脂製の内箱が係合される断熱箱体とマグネットガスケットによる閉口機構を持つあらゆる冷熱機器（民生用冷蔵庫、業務用冷蔵庫、ワインセラーなど）の断熱性向上のために利用可能である。
【符号の説明】
【００５０】
１  冷蔵庫
２  開口部
９  断熱材
１０  断熱箱体
１１  外箱
１２  内箱
１３  底面板
１４ａ  仕切板
２０  扉部
２１  扉部外板
２２  扉部内板
３０  マグネットガスケット
３１  折曲部
３２  折曲部
４１  外箱
４１ａ  外箱平坦部
４２  内箱
４２ａ  内箱平坦部
５２ａ  冷凍室扉部
５５  野菜室扉部
６０  磁性体
６１  磁性体
９０  マグネットガスケット
９２  マグネット
９３  磁石室
９４  袋部
１０１  外箱
１０２  内箱
１０５  固着部材
１０６  接着部材
１１１  内箱外箱接合領域
１１１ａ  穴有り部
１１１ｂ  穴無し部
１１２  扉断熱箱接合領域
１１２ａ  突起有り部
１１２ｂ  突起無し部
【図１】
2018044756.tif 000003
【図２】
2018044756.tif 000004
【図３】
2018044756.tif 000005
【図４】
2018044756.tif 000006
【図５】
2018044756.tif 000007
【図６】
2018044756.tif 000008
【図７】
2018044756.tif 000009
【図８】
2018044756.tif 000010
【図９】
2018044756.tif 000011
【図１０】
2018044756.tif 000012